(57)【要約】【課題】表示装置に信頼性の高い防犯機能を設ける。【解決手段】表示装置(20)の制御部(202)は、通常動作モード(N)において表示装置を通常の状態で動作させる。情報処理装置(100)が使用されていない可能性がある状態が検出された場合に、制御部は、表示装置を防犯動作モード(S)に移行させる。防犯動作モードにおいてユーザによって操作ボタン(208)を用いて正規のユーザであることを表す情報が入力された場合には、制御部の防犯動作モードを解除し、防犯動作モードにおいてユーザによって正規のユーザであることを表す情報が入力されない場合には、制御部は、表示装置を警報動作モード(A)に移行させる。警報モードにおいて、制御部は、警報動作を行う。【選択図】図２
2009110320.tif 000002
【特許請求の範囲】
【請求項１】
外部の情報処理装置から受信した映像信号を表示する表示部と、周囲の状況を検出する検出器と、正規のユーザであることを表す情報を格納するメモリと、操作ボタンと、制御部と、を具える表示装置であって、
前記制御部は、通常動作モードにおいて前記情報処理装置からの情報信号に従って前記表示装置を通常の状態で動作させ、
前記情報処理装置が使用されていない可能性がある状態が検出された場合に、前記制御部は、前記表示装置を防犯動作モードに移行させ、
前記防犯動作モードにおいてユーザによって前記操作ボタンを用いて前記正規のユーザであることを表す情報が入力された場合には、前記制御部は前記防犯動作モードを解除し、
前記防犯動作モードにおいてユーザによって前記正規のユーザであることを表す情報が入力されない場合には、前記制御部は、前記表示装置を警報動作モードに移行させ、
前記警報動作モードにおいて、前記制御部は、警報動作を行うものであること
を特徴とする表示装置。
【請求項２】
外部の情報処理装置から受信した映像信号を表示する表示部と、周囲の状況を検出するセンサと、正規のユーザであることを表す情報を格納するメモリと、操作ボタンと、制御部と、を具える表示装置であって、
前記制御部は、通常動作モードにおいて前記情報処理装置からの情報信号に従って前記表示装置を通常の状態で動作させ、
前記センサによって前記情報処理装置が使用されていない可能性がある状態が検出された場合に、前記制御部は、前記表示装置を防犯動作モードに移行させ、
前記防犯動作モードにおいて前記外部情報処理装置から前記正規のユーザであることを表す情報を受信した場合には、前記制御部は前記防犯動作モードを解除し、
前記防犯動作モードにおいてユーザによって前記正規のユーザであることを表す情報を受信しない場合には、前記制御部は、前記表示装置を警報動作モードに移行させ、
前記警報動作モードにおいて、前記制御部は、警報動作を行うものであること
を特徴とする表示装置。
【請求項３】
前記検出器は人感センサであり、
前記人感センサによって人がいないことが検出されたと判定された場合に、前記制御部は、前記表示装置を前記防犯動作モードに移行させるものであることを特徴とする、請求項１または２に記載の表示装置。
【請求項４】
前記検出器は明るさセンサであり、
前記明るさセンサによって周囲の明るさが閾値より暗いことが検出されたと判定された場合に、前記制御部は、前記表示装置を前記防犯動作モードに移行させるものであることを特徴とする、請求項１乃至３のいずれかに記載の表示装置。
【請求項５】
前記情報処理装置から映像信号を受信していないと判定された場合に、前記制御部は、前記表示装置を前記防犯動作モードに移行させるものであることを特徴とする、請求項１乃至４のいずれかに記載の表示装置。
【請求項６】
前記警報動作モードにおいて、前記制御部は、前記表示部に警報を可視表示または可聴表示するものであることを特徴とする、請求項１乃至５のいずれかに記載の表示装置。
【発明の詳細な説明】
【技術分野】
【０００１】
本発明は、セキュリティ機能を有する表示装置に関し、特に、接続されている情報処理装置のセキュリティを高め情報処理装置の使用権限のない者が情報処理装置に近づいたことを検出することができる表示装置に関する。
【背景技術】
【０００２】
従来の防犯システムとして、窓ガラスが開いたことを検出するもの、窓ガラスが割られた衝撃を検出するもの、赤外線で塀の上を乗り越えたことを検出するもの、防犯カメラを用いて侵入者を検出するもの、などがある。また、パーソナル・コンピュータ用のセキュリティとして、パスワードや生体認証によるパーソナル・コンピュータの保護機能がある。
【０００３】
特開平５−１７３６６３号公報（Ａ）には、電子機器装置が記載されている。ブック型パーソナル・コンピュータは、ディスプレイ装置前方の物体の有無を検出するセンサと、時間の計測を行うタイマと、センサによりディスプレイ装置前方にＶＤＴ従事者がいることが検出されたとき、タイマの時間計測を開始させ、センサによりディスプレイ装置前方にＶＤＴ従事者がいないことが検出されたとき、タイマの時間計測を停止させる制御部と、タイマにより計測された時間がタイムアップすると、警報を発する警報スピーカおよび警報表示部とを備えている。それによって、ＶＤＴ従事者の日常の健康管理を行う。
【特許文献１】特開平５−１７３６６３号公報
【０００４】
特開２００６−３４４０９９号公報（Ａ）には、パーソナル・コンピュータの不正使用防止方法が記載されている。その方法によれば、開閉可能な画像表示パネルを開いて起動することにより、内蔵カメラにより操作者の顔の画像をカメラ制御部の制御下で自動的に撮影する。そして、撮影された画像データを撮影画像データ保存用記憶装置に保存すると共に撮影画像データ送信部によりネットワークインタフェースを介してネットワーク上のサーバに送信して保存する。
【特許文献２】特開２００６−３４４０９９号公報
【発明の開示】
【発明が解決しようとする課題】
【０００５】
従来の防犯システムでは、保護領域と外部の間の境界に検出器および監視カメラを設けるものが多く、そのような検出器の検出領域および監視カメラの視野を回避して侵入されることもある。
【０００６】
発明者は、保護領域内の以外な場所に検出器を設け、それを確実に動作させるようにすれば、防犯システムの信頼性が高くなる、と認識した。
【０００７】
本発明の目的は、表示装置に信頼性の高い防犯機能を設けることである。
【課題を解決するための手段】
【０００８】
本発明の特徴によれば、表示装置は、外部の情報処理装置から受信した映像信号を表示する表示部と、周囲の状況を検出する検出器と、正規のユーザであることを表す情報を格納するメモリと、操作ボタンと、制御部と、を具えている。その制御部は、通常動作モードにおいてその情報処理装置からの情報信号に従ってその表示装置を通常の状態で動作させる。その情報処理装置が使用されていない可能性がある状態が検出された場合に、その制御部は、その表示装置を防犯動作モードに移行させる。その防犯動作モードにおいてユーザによってその操作ボタンを用いてその正規のユーザであることを表す情報が入力された場合には、その制御部はその防犯動作モードを解除し、その防犯動作モードにおいてユーザによってその正規のユーザであることを表す情報が入力されない場合には、その制御部は、その表示装置を警報動作モードに移行させる。その警報モードにおいて、その制御部は、警報動作を行う。
【０００９】
本発明の別の特徴によれば、その防犯動作モードにおいてその外部情報処理装置からその正規のユーザであることを表す情報を受信した場合には、その制御部はその防犯動作モードを解除し、その防犯動作モードにおいてユーザによってその正規のユーザであることを表す情報を受信しない場合には、その制御部は、その表示装置を警報動作モードに移行させる。
【発明の効果】
【００１０】
本発明によれば、表示装置に信頼性の高い防犯機能を設けることができる。
【発明を実施するための最良の形態】
【００１１】
本発明の非限定的な実施形態を、図面を参照して説明する。図面において、同様の構成要素には同じ参照番号が付されている。
【００１２】
図１は、本発明の実施形態による、情報処理装置としてのパーソナル・コンピュータ（ＰＣ）本体１００、表示装置２０およびキーボード１１２の概略的な配置を示している。表示装置２０とパーソナル・コンピュータ（ＰＣ）本体１００とは、ＵＳＢケーブル２８２およびオーディオ／ビデオ（Ａ／Ｖ）信号ケーブル２８４を介して接続されている。
【００１３】
表示装置２０は、例えば音量および明るさ等を調整し対応するＯＳＤ（オンスクリーン表示）を表示するために通常用いられる操作ボタン２０８、液晶表示パネル部（ＬＣＤ）２１０、左右のスピーカ２２０、明るさセンサ２３２および人感赤外線（ＩＲ）センサ２３４を有する。
【００１４】
図２は、本発明の実施形態による、パーソナル・コンピュータ（ＰＣ）本体１００および表示装置２０の概略的な構成を示している。ＰＣ本体１００は、内部バス８０を介して互いに結合された、ＣＰＵ１０２、ＲＯＭ１０４、ＲＡＭ１０６、ハードディスク装置１０８、周辺機器インタフェース１１０、ＬＡＮ２に接続されたＬＡＮカード１２２、表示回路１２４、音声出力回路１２６および電源回路１３２を具えている。
【００１５】
表示装置２０は、操作ボタン２０８、液晶表示パネル部（ＬＣＤ）２１０、スピーカ（ＳＰＫ）２２０、明るさセンサ（ＢＳ）２３２および人感赤外線（ＩＲ）センサ（ＩＲＳ）２３４に加えて、ＲＯＭ２０４、ＮＶＲＡＭ２０６、および構成要素２０４〜２３４に結合された制御部２０２を有する。制御部２０２は、スケーラ等に用いられるマイクロコンピュータからなる。
【００１６】
ＲＯＭ２０４は、制御部２０２用のプログラムが格納されている。プログラムには、防犯動作機能および警報動作機能用のプログラムが含まれている。ＮＶＲＡＭ（不揮発性ＲＡＭ）２０６は、各種設定値、ユーザのパスワードおよび警報モードにおける設定値を格納する。
【００１７】
ＵＳＢケーブル２８２は、ＰＣ本体１００に対して、ウェイクアップ・コマンド、ロック・コマンド、パスワード入力画面要求、警報解除コマンド、等を送信し、ＰＣ本体１００からの命令を表示装置２０に送信する。
【００１８】
操作ボタン２０８は、表示装置２０のＯＳＤ（オンスクリーン表示）、ユーザの登録パスワード、確認パスワードの入力、防犯モードおよび警報モードにおける各操作入力のために用いられる。操作ボタン２０８として、例えば、第１のボタン“ＡＵＴＯ／ＥＸＩＴ”、第２のボタン“−”、第３のボタン“＋”、第４のボタン“ＥＮＴＥＲ／ＭＥＮＵ”および第５のボタン“ＰＲＷＯＮ”が含まれている。
【００１９】
液晶表示パネル部（ＬＣＤ）２１０は、制御部２０２の制御に従って、オーディオ／ビデオ信号ケーブル２８４を介して受信した映像信号を可視表示し、さらに、防犯モードおよび警報モードにおける所要の画面（例えば、パスワード入力画面、等）を表示する。
【００２０】
スピーカ２２０は、制御部２０２の制御に従って、オーディオ／ビデオ信号ケーブル２８４を介した音響信号を可聴音に変換して放出し、さらに防犯モードおよび警報モードにおける所要の音響（例えば、警報音、等）を出力する。
【００２１】
明るさセンサ２３２は、表示装置２０の周囲の明るさを検出して、電圧に変換して制御部２０２に供給する。人感赤外線（ＩＲ）センサ２３４は、表示装置２０の前の物体の赤外線を検出して、その物体までの距離を検出し、電圧に変換して制御部２０２に供給する。人感赤外線センサ２３４は、制御部２０２によって検出可能範囲、例えば検出角度を調整することができる。
【００２２】
周辺機器インタフェース１１０は、例えばキーボード（ＫＢ）１１２、マウス（ＭＳ）および／またはポインティング・デバイス１１４のような周辺機器に結合されている。
【００２３】
ＰＣ本体１００は、ＬＡＮカード１２２およびＬＡＮ２を介して警備センタ装置３００に接続されてもよい。
【００２４】
表示回路１２４は、表示装置２０に結合されていて、ＣＰＵ１０２の制御の下でビデオ信号を、オーディオ／ビデオ信号ケーブル２８４および制御部２０２を介して表示装置２０の液晶表示パネル部２１０に供給する。音声出力回路１２６は、表示装置２０に結合されていて、ＣＰＵ１０２の制御の下でオーディオ信号を、オーディオ／ビデオ信号ケーブル２８４および制御部２０２を介してスピーカ１９２に供給する。
【００２５】
ＰＣ本体１００の構成要素１０２〜１２６等および表示装置２０の構成要素２０２〜２３４等は、ＣＰＵ１０２等から受け取った制御信号に従って付勢され、ＣＰＵ１０２からの制御信号によって制御可能な電源回路１３２かまたは電源回路２４２によって給電される。
【００２６】
制御部２０２は、ＲＯＭ２０４に格納されているプログラムに従って動作し、明るさセンサ２３２および人感赤外線センサ２３４からの出力の値に従って所定範囲（領域）における人の存在または人までの距離を判定して、液晶表示パネル部２１０上に表示される画像を切り換え、スピーカ２２０から発生される音声を切り換える。
【００２７】
警備センタ装置３００は、ＬＡＮを介して、電話機３０２、監視カメラ３０４、ゲート装置３０６およびスピーカ等に接続されている。
【００２８】
図３は、表示装置２０の概略的な動作モードＮ、ＳおよびＡの間の状態遷移を示している。
【００２９】
図３において、表示装置２０は、通常動作モード状態ＮにおいてＰＣ本体１００用のディスプレイとして動作する。明るさセンサ２３２および人感赤外線センサ２３４の検出値に応じて、その検出値が所定の条件を満たした場合、表示装置２０は、防犯動作モード状態Ｓに移行して、検出された仮の不審者の監視を行う。防犯動作モード状態Ｓにおいて仮の不審者によって正規のユーザであることを表す適正な操作が行われた場合、表示装置２０は通常動作モード状態Ｎに戻る。防犯動作モード状態Ｓにおいて仮の不審者によって適正な操作が行われなかった場合、表示装置２０は、警報動作モード状態Ａに移行して、不審者の検出を警報するよう動作する。警報動作モードＡにおいて仮の不審者によって正規のユーザであることを表す適正な操作が行われた場合、表示装置２０は、通常動作モード状態Ｎに移行して、警報を解除するよう動作する。
【００３０】
図４は、通常動作モードＮにおける、人感赤外線（ＩＲ）センサ２３４の検出値に応じた表示装置２０およびＰＣ本体１００の制御を示している。
【００３１】
図４を参照すると、ステップ４０２において、表示装置２０は通常動作状態にあり、液晶表示パネル部２１０（画面）をオン状態にしてＰＣ本体１００からの映像信号を表示し、スピーカ２２０から所要の音響を発生する。ステップ４０４において、制御部２０２は、条件１を満たすかどうかを判定する。その条件１は、例えば、人感赤外線センサ２３４の電位が所定値（例、１．３Ｖ）以下になること、または人感赤外線センサ２３４の電位が所定値（例、１．３Ｖ）以下の状態が所定時間（例、１０秒）より長く継続することである。
【００３２】
ステップ４０４において条件１を満たさないと判定された場合は、手順はステップ４０２に戻る。ステップ４０４において条件１を満たすと判定された場合は、ステップ４０６において、制御部２０２は、液晶表示パネル部２１０（画面）およびスピーカ２２０をオフ状態にする。それによって、節電ができ、他人による画面の覗き見が防止できる。
【００３３】
ステップ４０８において、制御部２０２は、条件２を満たすかどうかを判定する。その条件２は、例えば、人感赤外線センサ２３４の電位が所定値（例、１．３Ｖ）より高くなることである。
【００３４】
ステップ４０８において条件２を満たすと判定された場合は、手順はステップ４０２に戻る。条件２を満たさないと判定された場合は、ステップ４１０において、制御部２０２は、条件３を満たすかどうかを判定する。その条件３は、例えば、ＰＣ本体１００の動作をロック（不動作状態に）する機能が無効になっていないこと、かつ液晶表示パネル部２１０（画面）がオフ状態になった後、所定時間が経過（例：１分）したこと、である。
【００３５】
ステップ４１０において条件３を満たさないと判定された場合は、手順はステップ４０８に戻る。ステップ４１０において条件３を満たすと判定された場合は、ステップ４１２において、制御部２０２は、ＵＳＢケーブル２８２を介してＰＣ本体１００をロックするよう要求する信号をＰＣ本体１００に送信する。
【００３６】
ステップ４１４において、制御部２０２は、条件２を満たすかどうかを判定する。ステップ４１４において条件２を満たさないと判定された場合は、手順はステップ４１４に戻る。条件２を満たすまで、手順はステップ４１４を繰り返す。
【００３７】
ステップ４１４において条件２を満たすと判定された場合は、ステップ４１６において、制御部２０２は、ＵＳＢケーブル２８２を介してＰＣ本体１００をウェイクアップ（起動）する。ステップ４０６〜４１６によって、節電が行われ、また他人による液晶表示パネル部２１０（画面）の覗き見が防止できる。その後、手順はステップ４０２に戻る。
【００３８】
図５は、通常動作モードＮにおける、明るさセンサ２３２の検出に応じた表示装置２０の制御を示している。
【００３９】
図５を参照すると、ステップ４２２において、表示装置２０は通常動作状態にあり、液晶表示パネル部２１０（画面）をオン状態にしてＰＣ本体１００からの映像信号を表示し、スピーカ２２０から所要の音響を発生する。ステップ４２４において、制御部２０２は、条件４を満たすかどうかを判定する。その条件４は、例えば、表示装置２０の周囲の明るさセンサ２３２の電位が第１の所定値（例えば、２Ｖ）以下に、即ち明るさが低下したことであるか、または、例えば、第１の所定値（例えば、２Ｖ）より高く、即ち明るさが上昇したこと、である。
【００４０】
ステップ４２４において条件４を満たさないと判定された場合は、手順はステップ４２２に戻る。条件４を満たすと判定された場合は、ステップ４２６において、制御部２０２は、人感赤外線センサ２３４の電位すなわち周囲の明るさに応じて液晶表示パネル部２１０（画面）の輝度を調整する。例えば、条件４が人感赤外線センサ２３４の電位が第１の所定値以下である場合は、制御部２０２は、液晶表示パネル部２１０（画面）の輝度を所定のレベルに低下させる。例えば、条件４が人感赤外線センサ２３４の電位が第１の所定値より高い場合には、制御部２０２は、液晶表示パネル部２１０（画面）の輝度を所定のレベルに上昇させる。
【００４１】
次いで、ステップ４２８において、条件５を満たすかどうかを判定する。その条件５は、例えば、表示装置２０の周囲の明るさセンサ２３２の電位が第２の所定値（例えば、２．１Ｖ）より高い、即ち明るさが上昇したことであるか、または、例えば第２の所定値（例えば、１．９Ｖ）以下、即ち明るさが低下したこと、である。
【００４２】
ステップ４２８において条件５を満たさない限り、手順はステップ４２８を繰り返す。ステップ４２８において条件５を満たすと判定された場合は、手順はステップ４２２に戻る。ステップ４２２〜４２８によって、表示装置２０の周囲の明るさに応じて液晶表示パネル部２１０（画面）の輝度を調整することができ、周囲が明るい場合には液晶表示パネル部２１０（画面）の輝度を上昇させ、周囲が明るい場合には液晶表示パネル部２１０（画面）の輝度を低下させる。それによって、液晶表示パネル部２１０（画面）の輝度を最適な輝度に調整する。
【００４３】
図６は、表示装置２０によって実行される動作モードＮ、ＳおよびＡにおけるフローチャートを示している。
【００４４】
図６を参照すると、ステップ４３２において、制御部２０２は、表示装置２０を通常動作モードＮで動作させ、ＰＣ本体１００用の表示装置として動作させる。ステップ４３４において、制御部２０２は、条件６を満たすかどうかを判定する。その条件６は、例えば、ユーザが操作ボタンを操作してＯＳＤ（オンスクリーン表示）で表示モードまたは動作モードを切換えたことである。その条件６は、ＰＣ本体１００が使用されていない可能性がある状態であってもよく、例えば、制御部２０２によってＰＣ本体１００から映像信号を所定時間より長い期間受信していないと判定されたこと、人感赤外線センサ２３４による人の検出が所定時間より長き期間得られないこと、および／または、明るさセンサ２３２によって所定時間よりが内期間にわたって周囲（または部屋）の明るさが所定の閾値以下または所定の閾値より暗いこと、である。
【００４５】
ステップ４３４において条件６を満たさないと判定された場合は、手順はステップ４３２に戻る。ステップ４３４において条件６を満たすと判定された場合は、制御部２０２は、表示装置２０を防犯動作モードＳで動作させる。ステップ４４２において、制御部２０２は、表示装置２０に対して所定の設定を行う。その所定の設定は、例えば、人感赤外線センサ２３４の検出出力電圧のレベルを増幅して上昇させること、人感赤外線センサ２３４の検出の閾値を下げること（感度を上昇させること）、人感赤外線センサ２３４の検出範囲を広げること（例えば、広角方式、スイベル制御、等）がある。
【００４６】
ステップ４４４において、制御部２０２は、人感赤外線センサ２３４によって人が検出されたかどうかを判定する。人が検出されるまでステップ４４４は繰り返される。人感赤外線センサ２３４によって人が検出されたと判定された場合、ステップ４４６において、ユーザが正規のユーサであることを確認できたかどうかを判定する。
【００４７】
ユーザの確認方法は、例えば、ユーザが正規のユーザであることを表す操作ボタン２０８の所定の特殊操作による入力を所定時間内に適正に行ったこと、制御部２０２が液晶表示パネル部２１０（画面）上でＯＳＤを表示してユーザが操作ボタン２０８でユーザが正規のユーザであることを表す正しい暗証コードを入力したことである。操作ボタン２０８の所定の特殊操作による入力は、ユーザを確認する状態において、例えば、５つの操作ボタンのうちの第２のボタンと第４のボタンを同時に３秒以上押下し続けることである。また、ユーザの確認の別の方法は、例えば、制御部２０２が、ＵＳＢケーブル２８２を介してまたは短距離無線通信（ブルートゥース規格、無線ＬＡＮ規格、等）によってPC本体１００と交信して、PC本体１００をウェイクアップし、ＰＣ本体１００にパスワード画面の表示を要求してＰＣ本体１００からのコマンドに従って液晶表示パネル部２１０（画面）上にパスワード画面を表示し、ユーザにキーボード１１２等で正規のパスワードを入力させ、その入力されたパスワードが正しいことをＰＣ本体１００によって確認できたことを表す信号を受信したこと、である。
【００４８】
ステップ４４６において、ユーザが正規のユーサであることが確認できたと判定された場合は、制御部２０２は、表示装置２０を通常動作モードＮに移行させて、手順はステップ４３２に戻る。ステップ４４６において、ユーザが正規のユーサであることが確認できないと判定された場合は、制御部２０２は、表示装置２０を警報動作モードＡで動作させ、手順はステップ４５２に進む。
【００４９】
ステップ４５２において、制御部２０２は、所定の警報を行う。その所定の警報は、例えば、スピーカ２２０から一時的に最大音量の警告音を発生すること、液晶表示パネル部２１０（画面）をオン状態にして、例えば「不審者発見！」のような表示画面または文字表示を点滅させて表示すること、ＵＳＢケーブル２８２等を介してＰＣ本体１００をウェイクアップし、その専用アプリケーションに「不審者発見」およびその「場所」等を表す情報を警備センタ装置３００または警察等に通知すること、である。警備センタ装置３００は、その不審者に関する情報に基づいて、例えば所定の電話機３０２に音声でその警報を通知したり、例えば犯人が通る防火扉のようなゲート３０６を閉鎖したり、ＰＣ本体１００の場所の情報に基づいてさらに監視カメラ３０４（方向等）を制御してもよい。
【００５０】
ステップ４５４において、制御部２０２は、警報を解除するかどうかを判定する。その解除するかどうかは、解除条件を満たしたかどうかで判定する。
【００５１】
その解除条件は、例えば、ユーザが正規のユーザであることを表す操作ボタン２０８の所定の特殊操作による入力を適正に行ったこと、液晶表示パネル部２１０（画面）上でＯＳＤを表示してユーザが操作ボタン２０８の所定の特殊操作でユーザが正規のユーザであることを表す正しい暗証コードを入力したこと、ユーザが操作ボタン２０８の所定の特殊操作で表示装置２０を警報動作モードＡから通常動作モードＮに切り換えたこと、である。操作ボタン２０８の特殊操作による入力は、警報動作モードＡにおいて、例えば、まず５つの操作ボタンのうちの第１のボタンと第４のボタンを同時に２秒以上押下しそれに続いて第１のボタンを離して第４のボタンだけを２秒以上押下しその後で第３のボタンを押下することである。また、その解除条件は、例えば、ＰＣ本体１００への交流電源が切断されたことであってもよい。
【００５２】
ステップ４５４において警報を解除しないと判定された場合には、解除すると判定されるまでステップ４５４を繰り返し実行し、警報状態が継続される。ステップ４５４において警報を解除すると判定された場合には、制御部２０２は表示装置２０を通常動作モードＮに移行させて、手順はステップ４３２に戻る。
【００５３】
図７は、表示装置２０によって実行されるより具体的なフローチャートの例を示している。この場合、表示装置２０は防犯モードおよび警報モードにおいてＰＣ本体１００と交信する必要がなく、電源回路４２４からの給電によって単独で動作可能である。
【００５４】
図７を参照すると、ステップ４７２において、制御部２０２は、表示装置２０を通常動作モードＮで動作させ、ＰＣ本体１００用の表示装置として動作させる。この場合、制御部２０２は、人感赤外線センサ２３４による検出可能範囲を、例えば距離６０ｃｍのように短く設定する。ステップ４７４において、制御部２０２は、人感赤外線センサ２３４による人が検出されない状態およびオーディオ／ビデオ信号ケーブル２８４上の映像信号のオフ状態が、所定時間より長く継続したかどうかを判定する。
【００５５】
ステップ４７４においてそれらの状態が所定時間継続していないと判定された場合は、手順はステップ４７２に戻る。ステップ４７４においてそれらの状態が所定時間より長く継続したと判定された場合は、ステップ４７６において、制御部２０２は、人感赤外線センサ２３４による検出可能範囲を、例えば距離１５０ｃｍのように長く設定する。
【００５６】
ステップ４７８において、制御部２０２は、人感赤外線センサ２３４によって人が検出されたかどうかを判定する。人が検出されなかったと判定された場合は、手順はステップ４７８に戻る。人が検出されるまで、手順はステップ４７８を繰り返えす。人が検出されたと判定された場合は、ステップ４８０において、制御部２０２は、暗証コードを入力するための画面を液晶表示パネル部２１０に表示して、暗証コートを入力させる。
【００５７】
ステップ８４２において、制御部２０２は、暗証コードが登録済みのもの（ＮＶＲＡＭ２０６に格納されているもの）と一致するかどうかを判定する。暗証コードが一致すると判定された場合は、手順はステップ４７２に戻る。
【００５８】
ステップ４８２において暗証コードが一致しないと判定された場合は、ステップ４８４において、制御部２０２は、液晶表示パネル部２１０（画面）をオン状態にして、例えば「不審者発見！」のような警報画面（ＮＶＲＡＭ２０６に格納されている警報画面情報）を表示し、さらにバックライトを０．５秒周期で点滅させる。
【００５９】
ステップ４８６において、制御部２０２は、その後に警報を解除するための操作がされたかどうかを判定する。その解除するための操作は、ユーザによってＯＳＤを表示して操作ボタン２０８が正規のユーザであることを表す所定の手順で操作されて所要の入力があったことである。
【００６０】
ステップ４８６において警報を解除しないと判定された場合には、解除すると判定されるまで、手順はステップ４８６を繰り返し実行し、従って警報状態が継続される。ステップ４８６において警報を解除すると判定された場合には、制御部２０２は表示装置２０を通常動作モードＮに移行させて、手順はステップ４７２に戻る。
【００６１】
図８は、表示装置２０の電源が投入されたときに表示装置２０によって実行される実行されるフローチャートの例を示している。
【００６２】
図８を参照すると、表示装置２０の電源が投入されたとき、ステップ４９２において、制御部２０２は、電源回路２４２の動作状態を検出し、電源回路２４２への商用の交流電力の給電が閾値時間（例えば、５分）より長く遮断されたかどうかを判定する。電源回路２４２への給電が閾値時間より長く遮断されていないと判定された場合は、手順はステップ４８４に進む。
【００６３】
ステップ４９４において電源回路２４２への給電が閾値時間より長く遮断されたと判定された場合は、手順は警報モードＡへ移行して、ステップ４９４において、制御部２０２は、液晶表示パネル部２１０（画面）をオン状態にして、例えば「不審者により電源遮断あり。」のような警報画面（ＮＶＲＡＭ２０６に格納されている警報画面情報）を表示する。それによって、表示装置２０の電源回路２４２への交流電力の供給が不審者によって遮断された（例えば、プラグが抜かれた）場合でも、その後で表示装置２０に交流電力が供給されて電源が投入されたときに、ユーザに不審者に通知することができる。
【００６４】
ステップ４９６は、図７のステップ４８６と同様である。その後、手順はステップ４８４へ進む。ステップ４９６において、表示装置２０は通常動作モードＮに移行する。
【００６５】
図９は、表示装置２０とＰＣ本体１００の連携によって実行されるより具体的なフローチャートの例を示している。この場合、表示装置２０とＰＣ本体１００の双方は、常時給電されている必要がある。
【００６６】
図９を参照すると、ステップ５０２において、表示装置２０の制御部２０２は、表示装置２０を通常動作モードＮで動作させ、ＰＣ本体１００用の表示装置として動作させる。この場合、制御部２０２は、人感赤外線センサ２３４による検出可能範囲を、例えば角度９０度のように狭く設定する。ステップ５０４において、制御部２０２は、人感赤外線センサ２３４によって人が検出されない状態および明るさセンサ２３２によって所定の閾値以下の暗い状態が、所定時間より長い期間継続したかどうかを判定する。
【００６７】
ステップ５０４においてそれらの状態が所定時間継続していないと判定された場合は、手順はステップ５０２に戻る。ステップ５０４においてそれらの状態が所定時間より長い期間継続したと判定された場合は、ステップ５０６において、制御部２０２は、人感赤外線センサ２３４による検出可能範囲を、例えば角度１６０度のように広く設定する。
【００６８】
ステップ５０８において、制御部２０２は、人感赤外線センサ２３４によって人が検出されたかどうかを判定する。人が検出されなかったと判定された場合は、人が検出されるまで、手順はステップ５０８を繰り返す。人が検出されたと判定された場合は、ステップ５１０において、制御部２０２は、ＵＳＢケーブル２８２を介して、パスワード入力画面を表示するための信号を発生するようＰＣ本体１００に要求する。
【００６９】
ステップ５２２において、ＰＣ本体１００のＣＰＵ１０２は、表示装置２０からの要求に応答して、通常動作状態で動作する。ＰＣ本体１００が節電状態にあるときは、ＣＰＵ１０２はＰＣ本体１００全体をウェイクアップする。ステップ５２４において、ＣＰＵ１０２は、パスワード入力画面を表示するための信号を発生して表示装置２０に表示させる（図示せず）。パスワード入力は、キーボード１１２の所定のキーを押下することによって行われてもよいが、ＯＳＤを表示して操作ボタン２０８を押下することによって行われてもよい。パスワードは、ユーザによって任意に変更できるようにし、これをＮＶＲＡＭ２０６に保存しておいて、認証時に取り出して用いるようにしてもよい。
【００７０】
ステップ５２６において、ＣＰＵ１０２は、所定時間（例えば、１０秒）内にユーザによって正しいパスワードが入力されたかどうか（パスワードが登録されたものと一致したかどうか）を判定する。所定時間内に正しいパスワードが入力されたと判定された場合は、手順はステップ５３２に進む。
【００７１】
ステップ５２６において所定時間内に正しいパスワードが入力されなかったと判定された場合は、ステップ５２８において、ＣＰＵ１０２は、警報を行い、例えばＬＡＮ２０を介して警備センタ装置３００に警報を通知する。ステップ５３０において、その後、ユーザによって正しいパスワードが入力されたかどうか（パスワードが登録されたものと一致したかどうか）を判定する。正しいパスワードが入力されるまで、手順はステップ５３０を繰り返し、従って警報状態が継続する。
【００７２】
ステップ５３２において、ＣＰＵ１０２は、ＵＳＢケーブル２８２を介して表示装置２０に防犯モードＳを解除するよう命令する。その後、ＣＰＵ１０２は通常動作状態で動作する。
【００７３】
ステップ５４２において、表示装置２０の制御部２０２は、ＰＣ本体１００から、防犯モードを解除する命令を受信したかどうかを判定する。防犯モードを解除する命令を受信するまで、手順はステップ５４２を繰り返す。防犯モードを解除する命令を受信したと判定された場合、手順はステップ５０２に戻る。
【００７４】
上述の実施形態によれば、防犯システムにおける侵入者の誤検出をユーザによる表示装置等の操作によって回避できるので、防犯のためにセンサの感度を下げる必要がない。また、表示装置が、自動的に防犯モードになるので、防犯モード設定忘れが回避できる。また、表示装置またはＰＣ本体の位置によって侵入者の位置を比較的狭い範囲に特定することができ、従って侵入者に対して適切に対応できる。さらに、表示装置に設けられたセンサが防犯センサとしても機能するので、侵入者に気づかれることなく侵入者を検出することができる。
【００７５】
この場合、表示装置２０とＰＣ本体１００への商用電力の給電状態は、警備センタ装置３００によって監視されることが好ましい。それによって、表示装置２０とＰＣ本体１００への商用の交流電力の給電が不審者によって遮断された場合に、それを検出して警報を発生させることができる。
【００７６】
図６〜８の実施形態において、通常モードＮに対して、図６〜８における防犯モードＳおよび警報モードＡの中の任意の形態を選択して組み合わせることができる。
【００７７】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【００７８】
以上の実施例を含む実施形態に関して、さらに以下の付記を開示する。
（付記１）  外部の情報処理装置から受信した映像信号を表示する表示部と、周囲の状況を検出する検出器と、正規のユーザであることを表す情報を格納するメモリと、操作ボタンと、制御部と、を具える表示装置であって、
前記制御部は、通常動作モードにおいて前記情報処理装置からの情報信号に従って前記表示装置を通常の状態で動作させ、
前記情報処理装置が使用されていない可能性がある状態が検出された場合に、前記制御部は、前記表示装置を防犯動作モードに移行させ、
前記防犯動作モードにおいてユーザによって前記操作ボタンを用いて前記正規のユーザであることを表す情報が入力された場合には、前記制御部は前記防犯動作モードを解除し、
前記防犯動作モードにおいてユーザによって前記正規のユーザであることを表す情報が入力されない場合には、前記制御部は、前記表示装置を警報動作モードに移行させ、
前記警報動作モードにおいて、前記制御部は、警報動作を行うものであること
を特徴とする表示装置。
（付記２）  外部の情報処理装置から受信した映像信号を表示する表示部と、周囲の状況を検出するセンサと、正規のユーザであることを表す情報を格納するメモリと、操作ボタンと、制御部と、を具える表示装置であって、
前記制御部は、通常動作モードにおいて前記情報処理装置からの情報信号に従って前記表示装置を通常の状態で動作させ、
前記センサによって前記情報処理装置が使用されていない可能性がある状態が検出された場合に、前記制御部は、前記表示装置を防犯動作モードに移行させ、
前記防犯動作モードにおいて前記外部情報処理装置から前記正規のユーザであることを表す情報を受信した場合には、前記制御部は前記防犯動作モードを解除し、
前記防犯動作モードにおいてユーザによって前記正規のユーザであることを表す情報を受信しない場合には、前記制御部は、前記表示装置を警報動作モードに移行させ、
前記警報動作モードにおいて、前記制御部は、警報動作を行うものであること
を特徴とする表示装置。
（付記３）  前記検出器は人感センサであり、
前記人感センサによって人がいないことが検出されたと判定された場合に、前記制御部は、前記表示装置を前記防犯動作モードに移行させるものであることを特徴とする、付記１または２に記載の表示装置。
（付記４）  前記検出器は明るさセンサであり、
前記明るさセンサによって周囲の明るさが閾値より暗いことが検出されたと判定された場合に、前記制御部は、前記表示装置を前記防犯動作モードに移行させるものであることを特徴とする、付記１乃至３のいずれかに記載の表示装置。
（付記５）  前記情報処理装置から映像信号を受信していないと判定された場合に、前記制御部は、前記表示装置を前記防犯動作モードに移行させるものであることを特徴とする、付記１乃至４のいずれかに記載の表示装置。
（付記６）  前記防犯動作モードにおいて、前記制御部は、人感センサとしての前記検出器の検出感度を上げるものであることを特徴とする、付記１乃至５のいずれかに記載の表示装置。
（付記７）  前記警報動作モードにおいて、前記制御部は、前記表示部に警報を可視表示または可聴表示するものであることを特徴とする、付記１乃至６のいずれかに記載の表示装置。
（付記８）  前記警報動作モードにおいてユーザによって前記操作ボタンを用いて前記正規のユーザであることを表す情報が入力された場合には、前記制御部は前記警報動作モードを解除するものであることを特徴とする、付記１に記載の表示装置。
（付記９）  前記警報動作モードにおいて前記外部情報処理装置から前記正規のユーザであることを表す情報を受信した場合には、前記制御部は前記警報動作モードを解除するものであることを特徴とする、付記２に記載の表示装置。
（付記１０）  前記情報処理装置がパーソナル・コンピュータの本体であることを特徴とする、付記１乃至９のいずれかに記載の表示装置。
【図面の簡単な説明】
【００７９】
【図１】図１は、本発明の実施形態による、情報処理装置としてのパーソナル・コンピュータ（ＰＣ）本体、表示装置およびキーボードの概略的な配置を示している。
【図２】図２は、本発明の実施形態による、パーソナル・コンピュータ（ＰＣ）本体および表示装置の概略的な構成を示している。
【図３】図３は、表示装置の概略的な動作モードの間の状態遷移を示している。
【図４】図４は、通常動作モードにおける、人感赤外線センサの検出値に応じた表示装置およびＰＣ本体の制御を示している。
【図５】図５は、通常動作モードＮにおける、明るさセンサの検出に応じた表示装置の制御を示している。
【図６】図６は、表示装置によって実行される動作モードにおけるフローチャートを示している。
【図７】図７は、主に表示装置によって実行されるより具体的なフローチャートの例を示している。
【図８】図８は、表示装置の電源が投入されたときに表示装置によって実行される実行されるフローチャートの例を示している。
【図９】図９は、表示装置とＰＣ本体の連携によって実行されるより具体的なフローチャートの例を示している。
【符号の説明】
【００８０】
２  ＬＡＮ
１００  パーソナル・コンピュータ（ＰＣ）本体
１０２  ＣＰＵ
１１２  キーボード
２０  表示装置
２０２  制御部
２０４  ＲＯＭ
２０６  ＮＶＲＡＭ
２０８  操作ボタン
２１０  液晶表示パネル部
２２０  スピーカ
２３２  明るさセンサ
２３４  人感赤外線センサ
３００  警備センタ装置
【図１】
2009110320.tif 000003
【図２】
2009110320.tif 000004
【図３】
2009110320.tif 000005
【図４】
2009110320.tif 000006
【図５】
2009110320.tif 000007
【図６】
2009110320.tif 000008
【図７】
2009110320.tif 000009
【図８】
2009110320.tif 000010
【図９】
2009110320.tif 000011